(57)【要約】【課題】使用数量、価格、納期等の変動要因の最新情報に基づき最適な補充法を選択できる補充品の一括管理を可能とする電力資機材の補充品管理システムとその方法を提供する。【解決手段】電力資機材の補充品管理システム１０は、保管所に設置され、保管数量のデータを送信する保管数量送信端末ａ〜ｃと、管理センタに設置され、補充法、補充数量及び補充先を判定し、補充先に補充数量のデータを送信する補充品管理装置２０と、補充先である補充品の供給メーカ側に設置され、補充数量のデータを受信する補充数量受信端末Ａ〜Ｅとが、通信回線３０により接続され構成される。【選択図】      図１
2006240814.tif 000002
【特許請求の範囲】
【請求項１】
相手先保管における電力資機材の補充品管理システムであって、
保管所に設置され、保管品の前日までの保管数、払い出し数、及び戻り入れ数から該当日の保管数量を算出し、該保管数量のデータを送信する保管数量送信端末と、
管理センタに設置され、前記保管数量のデータと事前に蓄積されている保管品に関するデータと保管品の最適な補充法を選択する最適補充法判定基準データとから、補充法、補充数量及び補充先を決定し、該補充先に該補充数量のデータを送信する補充品管理装置と、
前記補充先である補充品の供給メーカ側に設置され、前記補充数量のデータを受信する補充数量受信端末とが、通信回線により接続され構成されることを特徴とする電力資機材の補充品管理システム。
【請求項２】
前記補充品管理装置は、保管品に関するデータを蓄積する保管品データ蓄積手段と、
前記保管数量のデータと前記保管品に関するデータと前記最適補充法判定基準データとから、前記補充法、前記補充数量及び前記補充先を判定する最適補充法判定手段と、
前記補充先に前記補充数量のデータを送信するため補充品リストを作成する補充品リスト作成手段と、
前記補充品リストを出力する補充品リスト出力手段とを有することを特徴とする請求項１に記載の電力資機材の補充品管理システム。
【請求項３】
前記補充法は、預り品の使用高補充法、定期補充法、定量補充法、都度補充法、及び一括補充法から成ることを特徴とする請求項１又は請求項２に記載の電力資機材の補充品管理システム。
【請求項４】
相手先保管における電力資機材の補充品管理方法であって、
保管所に保管された保管品に関し、該当日における保管数量のデータを送信するステップと、
管理センターにおいて、前記保管数量のデータと保管品データ蓄積手段に蓄積されている保管品に関するデータと保管品の最適な補充法を選択する最適補充法判定基準データとから、補充法、補充数量及び補充先を決定するステップと、
前記補充先に前記補充数量のデータを送信するため補充品リストを作成するステップと、
前記補充品リストを出力するステップとから成ることを特徴とする電力資機材の補充品管理方法。
【発明の詳細な説明】
【技術分野】
【０００１】
本発明は、相手先保管方法により保管された電力資機材の補充品の管理に関し、詳しくは、幾つかの補充方法に区分けして保管品の補充を行う場合、保管品の数量の動態数を基に最適な補充法を判定し保管品の補充を行う、電力資機材の補充品管理システム及びその方法に関する。
【背景技術】
【０００２】
電力資機材の調達業務において、電力資機材の大きさ、価格、数量、納期などにより、予め使用する数量を想定して保管数量を取り決め、電力事業者側の保管場所に一時保管する「相手先保管」の方法により保管し、使用数量等の条件により補充方法を選択して調達を行う場合がある。この方法は、在庫品を抱えず且つ納期遅れがないことで電力事業者側の利点があり、在庫品の保管場所を確保する必要がないことでメーカ側の利点がある。
【０００３】
選択される補充方法には、預り品の使用高補充法、定期補充法、定量補充法、都度補充法、一括補充法があるが、調達する資機材に対し最適な補充方法を決定するためには経験的なノウハウに依存する場合が多く、人手も必要とされる。たとえば、在庫品の単価、年間購入量、メーカ名、購入量の変動の大小等の諸条件を常時数値管理し、在庫品の状況から補充方法の優先度を判断して提案し、採用された補充方法の実施状況から効果のレベルを判断するなどの業務が要求された。
【０００４】
ところが要員の削減、移動期間の短縮等により、ノウハウ蓄積時間の不足、要員の削減による数値管理の質の低下、特定の経験者への過度の業務負担等の問題があった。しかし、「相手先保管」による調達方法は相互の利点を満足するため、適用の範囲を拡げる努力がされている。これには、補充数量を通知するに当たり、数量、価格、納期等の変動要因の最新情報に基づき最適な補充法を選択できる補充品の一括管理システムが必要となる。商品の売れ行きに応じて適正在庫量をファジイ推論により自動的に決定する商品在庫管理装置が、特許文献１に記載されている。
【特許文献１】特開平６−２３１１５６号公報
【発明の開示】
【発明が解決しようとする課題】
【０００５】
本発明は、このような問題を解決するためになされたものであり、その目的は、相手先保管における電力資機材の補充数量を通知するに当たり、使用数量、価格、納期等の変動要因の最新情報に基づき最適な補充法を選択できる補充品の一括管理を可能とする電力資機材の補充品管理システムとその方法を提供する。
【課題を解決するための手段】
【０００６】
本発明の電力資機材の補充品管理システムは、相手先保管における電力資機材の補充品管理システムであって、
保管所に設置され、保管品の前日までの保管数、払い出し数、及び戻り入れ数から該当日の保管数量を算出し、該保管数量のデータを送信する保管数量送信端末と、
管理センタに設置され、前記保管数量のデータと事前に蓄積されている保管品に関するデータと保管品の最適な補充法を選択する最適補充法判定基準データとから、補充法、補充数量及び補充先を決定し、該補充先に該補充数量のデータを送信する補充品管理装置と、
前記補充先である補充品の供給メーカ側に設置され、前記補充数量のデータを受信する補充数量受信端末とが、通信回線により接続され構成されることを特徴とする。
【０００７】
前記電力資機材の補充品管理システムの前記補充品管理装置は、保管品に関するデータを蓄積する保管品データ蓄積手段と、
前記保管数量のデータと前記保管品に関するデータと前記最適補充法判定基準データとから、前記補充法、前記補充数量及び前記補充先を判定する最適補充法判定手段と、
前記補充先に前記補充数量のデータを送信するため補充品リストを作成する補充品目リスト作成手段と、
前記補充品リストを出力する補充品リスト出力手段とを有することを特徴とする。
【０００８】
前記電力資機材の補充品管理システムの前記補充法は、預り品の使用高補充法、定期補充法、定量補充法、都度補充法、及び一括補充法から成ることを特徴とする。
【０００９】
本発明の電力資機材の補充品管理方法は、相手先保管における電力資機材の補充品管理方法であって、
保管所に保管された保管品に関し、該当日における保管数量のデータを送信するステップと、
管理センターにおいて、前記保管数量のデータと保管品データ蓄積手段に蓄積されている保管品に関するデータと保管品の最適な補充法を選択する最適補充法判定基準データとから、補充法、補充数量及び補充先を決定するステップと、
前記補充先に前記補充数量のデータを送信するため補充品リストを作成するステップと、
前記補充品リストを出力するステップとから成ることを特徴とする。
【発明の効果】
【００１０】
本発明の電力資機材の補充品管理システム及びその方法によれば、相手先保管における電力資機材の補充数量を通知するに当たり、使用数量、価格、納期等の変動要因の最新情報に基づき最適な補充法を選択できる補充品の一括管理により、相手先保管による調達方法の適用範囲の拡大と、より効率的な電力資機材の補充品の管理が可能となる。
【発明を実施するための最良の形態】
【００１１】
本発明による、補充品管理システムの実施の形態について、図を用いて説明する。図１は、本発明の補充品管理システムのハードウエア構成を示すブロック図である。図１に示すように、補充品管理システム１０は、管理センタに設置される補充品管理装置２０と各保管所に設置される保管数量送信端末ａ〜ｃと供給メーカ側に設置される補充数量受信端末Ａ〜Ｅとが、通信回線３０により接続されて構成されている。
【００１２】
保管数量送信端末ａ〜ｃは、一般のコンピュータ端末で構成され、保管品の前日までの保管数、払い出し数、及び戻り入れ数から該当日の保管数量を算出し、保管数量のデータを補充品管理装置２０へ送信する機能を有する。補充品管理装置２０は、ＣＰＵ２１と記録装置２２と補充品リスト端末２３とから構成される。また補充品リスト端末２３は、ディスプレイ、プリンタおよび送信端末から構成される（図示せず）。補充数量受信端末Ａ〜Ｅは、保管数量送信端末ａ〜ｃと同様に一般のコンピュータ端末で構成され、補充品管理装置２０から送信される補充品の補充数量を受信する機能を有する。
【００１３】
補充品管理装置２０のＣＰＵ２１は、保管品に関するデータを蓄積する保管品データ蓄積手段と、保管数量のデータと保管品に関するデータと最適補充法判定基準データとから、補充法、補充数量及び補充先を判定する最適補充法判定手段と、補充先に補充数量のデータを送信するため補充品リストを作成する補充品目リスト作成手段と、補充品リストを出力する補充品リスト出力手段として機能する。
【００１４】
保管数量送信端末ａ〜ｃから、保管品の前日までの保管数、払い出し数、及び戻り入れ数から該当日の保管数量を算出した保管数量のデータが、補充品管理装置２０へ送信される。補充品管理装置２０のＣＰＵ２１は、最適補充法判定手段により、記録装置２２から読み出した保管品に関するデータと最適補充法判定基準データと受信した保管数量のデータとから、最適な補充法、補充数量及び補充先を判定する。図２で説明する保管品と最適補充法判定基準に関するデータは、保管品データ蓄積手段により記録装置２２へ予め蓄積されている。
【００１５】
さらにＣＰＵ２１は、判定結果を基に、補充品目リスト作成手段により、補充先に補充数量のデータを送信するため補充品リストを作成し、記録装置２２へ記録する。また補充品リストを出力する補充品リスト出力手段により、補充品リスト端末２３のディスプレイ、プリンタおよび送信端末にアクセスし、補充品リストを表示し、プリントアウトし、該当する補充数量受信端末Ａ〜Ｅへ補充品目の補充数量を送信する。
【００１６】
図２は、電力資機材の補充法の一例を示す図である。補充法は、預り品の使用高補充法、定期補充法、定量補充法、都度補充法、及び一括補充法から成る。補充品は、メーカとの総合在庫管理の効果は大きいか、高額な電力資機材か、金額は中程度で使用数量の変動は大きいか、金額は少額で使用数量の変動は小さいか、金額は少額で使用数量の変動は大きいか、ごく少額の電力資機材か、補充先は、補充方法は、等の基準項目に対し判定され、最適な補充方が選択される。従って、これらの基準項目の要因を数値化し、最適補充法判定基準に関するデータとして、記録装置２２へ蓄積されている。保管品においても同様に、取り決められた保管数量、単価、納期、メーカ名等が、保管品のデータとして蓄積されている。
【００１７】
図３は、補充品管理装置２０で判定された最適な補充法、補充数量及び補充先の結果の一例を示す補充品目リストである。前述したように補充品管理装置２０のＣＰＵ２１は、最適補充法判定手段により、記録装置２２から読み出した保管品に関するデータと最適補充法判定基準データと受信した保管数量のデータとから、まず最適な補充法を選択する。補充品目番号２３１及び１３２において、補充法に変更が生じている。
【００１８】
補充法が変更された場合は、変更された補充法による補充方法と保管数量とから補充数量が算出される。変更のない場合は前回と同様の方法で補充数量が算出される。補充先は、補充法の変更又は保管品のデータの更新における保管数量、単価、納期のいずれかの更新に伴い、変更すると判定された場合に変更される。補充品目リストは、記録装置２２へ記録されると共に、補充品リスト端末２３のディスプレイに表示され、プリンタからプリントアウトされる。また、補充先の会社に該当する補充数量受信端末Ａ〜Ｅへ補充品目の補充数量が送信される。
【００１９】
図１に示されるハードウエア構成は、当該機能を実現する手段であれば、どのような回路または装置であってもよく、また機能の一部をソフトウエアで実現することも可能である。更に機能の実現手段を、複数の回路によって実現してもよく、複数の機能を単一の装置で実現してもよい。
【００２０】
図４は、本発明による電力資機材の補充品管理方法の処理の流れを示すフローチャートである。  保管数量送信端末ａ〜ｃから、保管品の前日までの保管数、払い出し数、及び戻り入れ数から該当日の保管数量を算出した保管数量のデータを取得する（ステップ１００）。記録装置２２から保管品に関するデータと最適補充法判定基準データとを読み出す（ステップ１０２）。最適補充法判定手段により、取得した保管数量のデータと、読み出した保管品に関するデータと最適補充法判定基準データとから、最適な補充法を判定する（ステップ１０４）。補充法に変更があれば補充法を変更し、変更された補充法に従って補充数量を算出する（ステップ１０６、ステップ１０８）。次にメーカの変更を判断し、変更があれば補充先である供給メーカの補充数量受信端末名を変更する（ステップ１１０、ステップ１１２）。ステップ１０４において変更がなければ、前回と同様に補充数量を算出する（ステップ１１４）。続いてメーカの変更を判断し、変更があれば補充先である供給メーカの補充数量受信端末名を変更する（ステップ１１６、ステップ１１８）。ステップ１１６においてメーカの変更がないか、ステップ１１８、ステップ１１２においてメーカ変更が終了すれば、補充品のリストを作成する（ステップ１２０）。補充品リストをディスプレイに表示し、プリントアウトする（ステップ１２２）。補充品の数量データを補充先へ送信し、ジョブを終了する（ステップ１２４）。
【００２１】
図４に示される補充品管理方法の処理の流れは、当該機能を実現する処理の流れであればどのようなフローであってもよく、特に制限されるものではない。以上説明したように本発明によれば、相手先保管における電力資機材の補充数量を通知するに当たり、使用数量、価格、納期等の変動要因の最新情報に基づき最適な補充法を選択できる補充品の一括管理による電力資機材の補充品管理システム及びその方法を提供できるため、相手先保管による調達方法の適用範囲の拡大と、より効率的な電力資機材の補充品の管理が可能となる。又供給メーカ側の端末から、価格、納期等の変更をオンラインで受信し、保守品のデータ変更に組み込むことも可能となる。
【産業上の利用可能性】
【００２２】
本発明は、「相手先保管」を基とした調達方法に限らず、最適な調達方法を選択することを目的とする補充品管理システムに適用できる。
【図面の簡単な説明】
【００２３】
【図１】本発明の電力資機材の補充品管理システムのハードウエア構成を示すブロック図。
【図２】電力資機材の補充法の一例を示す図。
【図３】最適な補充法、補充数量及び補充先の結果の一例を示す補充品目リスト。
【図４】本発明による電力資機材の補充品管理方法の処理の流れを示すフローチャート。
【符号の説明】
【００２４】
１  預り品の使用高補充法
２  定期補充法
３  定量補充法
４  都度補充法
５  一括補充法
１０  補充品管理システム
２０  補充品管理装置
２１  ＣＰＵ
２２  記録装置
２３  補充品リスト端末
３０  通信回線
ａ、ｂ、ｃ  保管数量送信端末
Ａ、Ｂ、Ｃ、Ｄ、Ｅ  補充数量受信端末
【図１】
2006240814.tif 000003
【図２】
2006240814.tif 000004
【図３】
2006240814.tif 000005
【図４】
2006240814.tif 000006